(57)【特許請求の範囲】
【請求項１】
頭部の頂部に穿設された樋状の溝部、及び前記頭部に連続して円環状に窪んだ首部を有する円柱状の碍子の前記溝部に電線を固定するための電線用巻付バインドであって、
中央部に設けられ、前記碍子の首部を一周以上に巻回可能な、所定の内径を有するように少なくとも一周半に巻回されたループ部と、
このループ部の始端と終端から当該ループ部の接線方向に延設すると共に、該接線方向が当該ループ部の外部の仮想の近点で交わるように延設する一対の延設部であって、前記電線を巻回可能に両端部に至るまでスパイラル状に形成された一対の延設部と、を有し、
前記延設部を開角すると、前記ループ部を前記碍子の首部に挿入可能に前記ループ部の所定の内径が拡径し、前記延設部を解放すると、前記ループ部を前記碍子の首部に保持可能に前記ループ部が縮径する電線用巻付バインド。
【請求項２】
一組で構成される電線用巻付バインドであって、一対の前記延設部が互いに交差しないように、一対の前記延設部の巻回方向を同じにして、前記碍子の両側に延びる前記電線を巻回するように配置される請求項１記載の電線用巻付バインド。
【請求項３】
一対の前記延設部を二重螺旋状に、これらの前記延設部の巻回方向を同じにして、前記碍子の片側に延びる前記電線を巻回するように配置される請求項１記載の電線用巻付バインド。
【請求項４】
頭部の頂部に穿設された樋状の溝部、及び前記頭部に連続して円環状に窪んだ首部を有する円柱状の碍子に電線を固定するための巻付バインドであって、中央部に設けられ、前記碍子の首部を一周以上に巻回可能な、所定の内径を有するように少なくとも一周半に巻回されたループ部と、このループ部の始端及び終端から当該ループ部の接線方向に延設すると共に、該接線方向が当該ループ部の外部の仮想の近点で交わるように延設する一対の延設部であって、前記電線を巻回可能に両端部に至るまでスパイラル状に形成された一対の延設部と、を有する巻付バインドを用いて、前記碍子の溝部に前記電線を碍子にバインドする方法であって、
一対の前記延設部を開角して、前記ループ部を前記碍子の首部に挿入した後に、一対の前記延設部を解放して、前記ループ部を前記碍子の首部に保持する碍子保持ステップと、
前記電線を前記碍子の溝部の底面に当接する電線保持ステップと、
一対の前記延設部を開角して、これらの前記延設部が前記碍子の両側に延びる前記電線を巻回する巻回ステップと、を含む電線を碍子にバインドする方法。
【請求項５】
頭部の頂部に穿設された樋状の溝部、及び前記頭部に連続して円環状に窪んだ首部を有する円柱状の碍子に電線を固定するための巻付バインドであって、中央部に設けられ、前記碍子の首部を一周以上に巻回可能な、所定の内径を有するように少なくとも一周半に巻回されたループ部と、このループ部の始端及び終端から当該ループ部の接線方向に延設すると共に、該接線方向が当該ループ部の外部の仮想の近点で交わるように延設する一対の延設部であって、前記電線を巻回可能に両端部に至るまでスパイラル状に形成された一対の延設部と、を有する巻付バインドを用いて、前記碍子の溝部に前記電線を碍子にバインドする方法であって、
一対の前記延設部を開角して、前記ループ部を前記碍子の首部に挿入した後に、一対の前記延設部を解放して、前記ループ部を前記碍子の首部に保持する碍子保持ステップと、
前記電線を前記碍子の溝部の底面に当接する電線保持ステップと、
一対の前記延設部を交差して、一対の前記延設部を二重螺旋状に、これらの前記延設部の巻回方向を同じにして、前記碍子の片側に延びる前記電線を巻回する巻回ステップと、を含む電線を碍子にバインドする方法。
【発明の詳細な説明】
【技術分野】
【０００１】
本発明は、電線用巻付バインド及びバインド方法に関する。特に、電柱などに架設される被覆電線を碍子に固定するための電線用巻付バインドの構造、及びこの巻付バインドを用いて、被覆電線を碍子にバインドする（縛る）方法に関する。
【背景技術】
【０００２】
一般に、碍子は、磁器を素材に構成され、電柱に支持された腕金などに取り付けられている。そして、碍子は、高圧の電線（被覆電線）を絶縁支持している。この碍子の内、ピン碍子は、ピン状の金属棒の上部に傘状の絶縁体（磁器）を装着している。
【０００３】
一般に、碍子（ピン碍子）は、巻付バインドと呼ばれる金属線を用いて、電線を固定（緊縛）している。図８は、従来技術による市販の巻付バインドの構成を示す図であり、図８（Ａ）は、巻付バインドの斜視図、図８（Ｂ）は、巻付バインドの要部を拡大した斜視図である。
【０００４】
図８を参照すると、巻付バインド７は、鋼線などからなり、絶縁被覆されている。巻付バインド７の一端部は、Ｕ字状に反転し、電線（被覆電線）９ｗ（図９参照）を係止可能な電線係止部７１を有している。又、巻付バインド７は、電線係止部７１に連続して、半円弧状に屈曲して、碍子９（図９参照）に係止可能な碍子係止部７２を有している。更に、巻付バインド７は、電線係止部７１に連続すると共に他端部に至るまで、スパイラル状に形成され、電線９ｗ（図９参照）を巻回可能な電線巻回部７３を有している。
【０００５】
次に、巻付バインド７を用いて、電線を碍子にバインドする方法を説明する。図９は、巻付バインド７を用いて、電線を碍子にバインドする方法を説明するための工程図であり、図９（Ａ）は、電線係止部７１を電線に係止した状態図、図９（Ｂ）は、碍子係止部７２を碍子に係止した状態図、図９（Ｃ）は、電線巻回部７３を電線に巻回した状態図、図９（Ｄ）は、一連の巻付作業が終了した状態図である。
【０００６】
図９を参照すると、最初に、電線係止部７１を電線９ｗに係止する。なお、この時、電線９ｗを碍子９の首部９２に当接しておく（図９（Ａ）、参照）。次に、碍子係止部７２を碍子９の首部９２に半周程度、巻回すると共に、電線巻回部７３の始端（巻き始め）を電線９ｗに係止する（図９（Ｂ）、参照）。
【０００７】
次に、電線９ｗを中心に電線巻回部７３の終端（巻き終わり）を旋回して、電線巻回部７３を電線９ｗに巻回する（図９（Ｃ）、参照）。電線巻回部７３の終端まで電線９ｗに巻回すると、一連の作業が終了し、電線９ｗを碍子９にバインドできる（図９（Ｄ）、参照）。
【０００８】
次に、巻付バインド７を用いて、電線を近接した一対の碍子にバインドする方法を説明する。図１０は、巻付バインド７を用いて、近接した一対の碍子に電線をバインドした状態図であり、図１０（Ａ）は、近接した一対の碍子の正面図、図１０（Ｂ）は、近接した一対の碍子の平面図である。
【０００９】
図１０を参照すると、一対の角パイプ状の腕金８ｂ・８ｂは、電柱（図示せず）を間に、電柱を挟持する（抱き合わせる）ように、略平行に電柱に支持されている。一対の腕金８ｂ・８ｂは、いわゆる「抱腕金」である。そして、これらの腕金８ｂ・８ｂの端部に一対の碍子９・９を取り付けている。
【００１０】
図１０を参照すると、巻付バインド７の取り付け手順は、図９で説明した手順と同じであるが、一対の巻付バインド７・７は、電線巻回部７３・７３が相反する向きに配置されている。
【００１１】
又、碍子は、ビニル被覆されたアルミニウム線（ビニル被覆アルミバインド）を用いて、電線を固定（緊縛）することもある。図１１は、アルミバインド８を用いて、電線を碍子にバインドした状態図であり、図１１（Ａ）は、碍子を正面側から観た斜視図、図１１（Ｂ）は、碍子を平面側から観た斜視図である。
【００１２】
次に、アルミバインドを用いたバインド方法の一例を説明する。図１１を参照すると、電線９ｗは、碍子９の頭部（頂部）９ａに形成された溝部９１に嵌め込まれている。アルミバインド８の一端部は、碍子９の一端部から離れた位置で、電線９ｗを密に巻回している。そして、アルミバインド８は、碍子９の一端部に近づく過程で電線９ｗを粗に巻回している。次に、アルミバインド８は、碍子９の一端部に近づいた位置で、電線９ｗを再び密に巻回している。
【００１３】
図１１を参照すると、アルミバインド８は、碍子９の首部９２を略一周半、巻回し、碍子９の他端部に至り、アルミバインド８は、碍子９の他端部に近づいた位置で、電線９ｗを密に巻回している。そして、アルミバインド８は、碍子９の他端部から離れる過程で電線９ｗを粗に巻回している。次に、アルミバインド８は、碍子９の他端部から離れた位置で、電線９ｗを再び密に巻回している。
【００１４】
図１１を参照すると、アルミバインド８は、要所を密に巻回することにより、電線９ｗを碍子９の頭部（頂部）９ａに確実にバインドできる。
【００１５】
ところで、被覆電線（架空線）を無停電で配電工事を行う活線作業には、直接活線工法と間接活線工法の二通りがある。直接活線工法は、高圧ゴム手袋などの保護具を着用した作業者が、通電中の被覆に直接触れて配電工事を行う。一方、間接活線工法は、ホットスティック（絶縁操作棒）などを用いて、作業者が通電中の被覆電線に直接触れることなく配電工事を行うことができる。近年では、作業環境の改善の観点から、直接活線工法から間接活線工法へと転換が進行している。
【００１６】
ホットスティックは、先端部に配電工事を行う工具を備えており、この工具を手許の操作部で遠隔操作できる。配電工事を行う作業者は、例えば、把持工具を備えるホットスティックを用いて、安全に配電工事を行うことができる。
【００１７】
しかしながら、図８に示した従来の巻付バインド７は、図９に示したバインド方法を実施するためには、二人の作業者がそれぞれホットスティックを用いて、二人の作業者が協働しながら、電線を碍子に固定する必要があるので作業性がよくない、という問題がある。
【００１８】
一方、図１１に示された従来のアルミバインド８は、ホットスティックを用いて、電線を碍子に固定することが極めて困難であり、高圧ゴム手袋などの保護具を着用した直接活線工法でしか作業できないのが実情である。又、アルミバインド８を用いたバインド方法は、作業者の技量に依存する割合が大きく、作業者の技量に係わらず、電線を確実に碍子に固定する巻付バインドが望まれていた。
【００１９】
このようなことから、ホットスティックを用いて、一人で作業できると共に、作業者の技量に係わらず、電線を確実に碍子に固定できる巻付バインドが開示されている（例えば、特許文献１参照）。
【００２０】
特許文献１による巻付バインドは、弾性及び高張力を有する金属線が絶縁被覆されている。この巻付バインドは、長手方向の中央部が碍子の首部に巻回するように半円弧状に屈曲されている。又、この巻付バインドは、その中央部から相反する向きに延設し、両端部に至るまでは、電線に巻付くようにスパイラル状に形成されている。更に、この巻付バインドは、両端部が環状に形成されている。
【００２１】
特許文献１による巻付バインドは、碍子の首部に電線を配設し、半円弧状の中央部を碍子の首部に掛け、スパイラル状の延設部を電線に巻付けることにより、電線が碍子に保持される。特許文献１による巻付バインドは、金属線の弾性力により、スパイラル状の延設部が電線を把持している。
【００２２】
特許文献１による巻付バインドは、両端部が環状に形成されているので、この環状部分にホットスティックの工具部に設けた巻付けグリップトングの起こし部を掛けることにより短時間で、かつ容易に巻付バインドの両端部を電線から離隔できる、としている。
【先行技術文献】
【特許文献】
【００２３】
【特許文献１】特開２００７−１５７４１１号公報
【発明の概要】
【発明が解決しようとする課題】
【００２４】
しかしながら、特許文献１による巻付バインドは、碍子を係止する中央部から相反する向きに電線巻回部が延設している。したがって、図１０に示されたように、近接した一対の碍子９・９にそれぞれ特許文献１による巻付バインドを取り付けようとしても、巻付バインドの片端同士が碍子９にあたり、実質的に巻付バインドの取り付けが困難であるという問題がある。
【００２５】
単独の腕金に支持された碍子、及び抱腕金に支持された近接した一対の碍子に共用可能な巻付バインドであって、電線を確実に碍子にバインドする巻付バインド及びバインド方法が実現できれば、便利である。そして、以上のことが本発明の課題といってよい。
【００２６】
本発明は、このような課題に鑑みてなされたものであり、単独の腕金に支持された碍子、及び抱腕金に支持された近接した一対の碍子に共用可能な巻付バインドであって、電線を確実に碍子に固定する電線用巻付バインド及びこの巻付バインドを用いて、被覆電線を碍子にバインドする（縛る）方法を提供することを目的とする。
【課題を解決するための手段】
【００２７】
本発明者は、電線を碍子の頂部に形成された溝に配設すると共に、碍子の首部に巻回可能に巻付バインドの中央部をループ状に形成し、このループの始端及び終端から延設する一対の延設部が仮想の近点で交わるように、かつ、電線を巻回可能にこれらの延設部をスパイラル状に形成することにより、これらの課題が解決可能なことを見出し、これに基づいて、以下のような新たな電線用巻付バインド及びバインド方法を発明するに至った。
【００２８】
（１）本発明による電線用巻付バインドは、頭部の頂部に穿設された樋状の溝部、及び前記頭部に連続して円環状に窪んだ首部を有する円柱状の碍子の前記溝部に電線を固定するための電線用巻付バインドであって、中央部に設けられ、前記碍子の首部を一周以上に巻回可能なループ部と、このループ部の始端と終端から当該ループ部の接線方向に延設すると共に、当該ループ部の外部の仮想の近点で交わるように延設する一対の延設部であって、前記電線を巻回可能に両端部に至るまでスパイラル状に形成された一対の延設部と、を有する。
【００２９】
（２）本発明による電線用巻付バインドは、一組で構成される電線用巻付バインドであって、一対の前記延設部が互いに交差しないように、一対の前記延設部の巻回方向を同じにして、前記碍子の両側に延びる前記電線を巻回するように配置してもよい。
【００３０】
（３）本発明による電線用巻付バインドは、一対の前記延設部を二重螺旋状に、これらの前記延設部の巻回方向を同じにして、前記碍子の片側に延びる前記電線を巻回するように配置してもよい。
【００３１】
（４）本発明による電線を碍子にバインドする方法は、頭部の頂部に穿設された樋状の溝部、及び前記頭部に連続して円環状に窪んだ首部を有する円柱状の碍子に電線を固定するための巻付バインドであって、中央部に設けられ、前記碍子の首部を一周以上に巻回可能なループ部と、このループ部の始端及び終端から当該ループ部の接線方向に延設すると共に、当該ループ部の外部の仮想の近点で交わるように延設する一対の延設部であって、前記電線を巻回可能に両端部に至るまでスパイラル状に形成された一対の延設部と、を有する巻付バインドを用いて、前記碍子の溝部に前記電線を碍子にバインドする方法であって、一対の前記延設部を開角して、前記ループ部を前記碍子の首部に挿入した後に、一対の前記延設部を解放して、前記ループ部を前記碍子の首部に保持する碍子保持ステップと、前記電線を前記碍子の溝部の底面に当接する電線保持ステップと、一対の前記延設部を開角して、これらの前記延設部が前記碍子の両側に延びる前記電線を巻回する巻回ステップと、を含む。
【００３２】
（５）本発明による電線を碍子にバインドする方法は、頭部の頂部に穿設された樋状の溝部、及び前記頭部に連続して円環状に窪んだ首部を有する円柱状の碍子に電線を固定するための巻付バインドであって、中央部に設けられ、前記碍子の首部を一周以上に巻回可能なループ部と、このループ部の始端及び終端から当該ループ部の接線方向に延設すると共に、当該ループ部の外部の仮想の近点で交わるように延設する一対の延設部であって、前記電線を巻回可能に両端部に至るまでスパイラル状に形成された一対の延設部と、を有する巻付バインドを用いて、前記碍子の溝部に前記電線を碍子にバインドする方法であって、一対の前記延設部を開角して、前記ループ部を前記碍子の首部に挿入した後に、一対の前記延設部を解放して、前記ループ部を前記碍子の首部に保持する碍子保持ステップと、前記電線を前記碍子の溝部の底面に当接する電線保持ステップと、一対の前記延設部を交差して、一対の前記延設部を二重螺旋状に、これらの前記延設部の巻回方向を同じにして、前記碍子の片側に延びる前記電線を巻回する巻回ステップと、を含む。
【発明の効果】
【００３３】
本発明による電線用巻付バインドは、碍子の首部を一周以上に巻回可能なループ部と、電線を巻回可能に両端部に至るまでスパイラル状に形成された一対の延設部と、を有し、ループ部が碍子の首部を保持すると共に、一対の延設部が碍子の両側に延びる電線を巻回するように配置できるので、単独の腕金に支持された碍子に電線を確実に固定できる。
【００３４】
又、本発明による電線用巻付バインドは、一対の延設部を二重螺旋状に、一対の延設部の巻回方向を同じにして、碍子の片側に延びる電線を巻回するように配置できるので、抱腕金に支持された近接した一対の碍子に電線を確実に固定できる。本発明による電線用巻付バインドは、単独の腕金に支持された碍子、及び抱腕金に支持された近接した一対の碍子にも適用できる。
【図面の簡単な説明】
【００３５】
【図１】本発明の一実施形態による電線用巻付バインドの構成を示す斜視図である。
【図２】前記実施形態による電線用巻付バインドの使用状態を示す斜視図であり、一組の電線用巻付バインドを用いて、単独の腕金に支持された碍子に電線を固定した状態図である。
【図３】前記実施形態による電線用巻付バインドの使用状態を示す正面図であり、一組の電線用巻付バインドを用いて、単独の腕金に支持された碍子に電線を固定した状態図である。
【図４】前記実施形態による電線用巻付バインドの使用状態を示す平面図であり、一組の電線用巻付バインドを用いて、単独の腕金に支持された碍子に電線を固定した状態図である。
【図５】前記実施形態による電線用巻付バインドの使用状態を示す斜視図であり、一組の電線用巻付バインドを用いて、抱腕金に支持された近接した一対の碍子に電線を固定した状態を正面側から観ている。
【図６】前記実施形態による電線用巻付バインドの使用状態を示す斜視図であり、一組の電線用巻付バインドを用いて、抱腕金に支持された近接した一対の碍子に電線を固定した状態を正面側から観ている。
【図７】前記実施形態による電線用巻付バインドの使用状態を示す平面図であり、一組の電線用巻付バインドを用いて、抱腕金に支持された近接した一対の碍子に電線を固定した状態図である。
【図８】従来技術による巻付バインドの構成を示す図であり、図８（Ａ）は、巻付バインドの斜視図、図８（Ｂ）は、巻付バインドの要部を拡大した斜視図である。
【図９】従来技術による巻付バインドを用いて、電線を碍子にバインドする方法を説明するための工程図であり、図９（Ａ）は、電線係止部を電線に係止した状態図、図９（Ｂ）は、碍子係止部を碍子に係止した状態図、図９（Ｃ）は、電線巻回部を電線に巻回した状態図、図９（Ｄ）は、一連の巻付作業が終了した状態図である。
【図１０】従来技術による巻付バインドを用いて、近接した一対の碍子に電線をバインドした状態図であり、図１０（Ａ）は、近接した一対の碍子の正面図、図１０（Ｂ）は、近接した一対の碍子の平面図である。
【図１１】従来技術によるアルミバインドを用いて、電線を碍子にバインドした状態図であり、図１１（Ａ）は、碍子を正面側から観た斜視図、図１１（Ｂ）は、碍子を平面側から観た斜視図である。
【発明を実施するための形態】
【００３６】
以下、図面を参照して本発明を実施するための形態を説明する。
［電線用巻付バインドの構成］
最初に、本発明の一実施形態による電線用巻付バインドの構成を説明する。図１は、本発明の一実施形態による電線用巻付バインドの構成を示す斜視図である。図２は、前記実施形態による電線用巻付バインドの使用状態を示す斜視図であり、一組の電線用巻付バインドを用いて、単独の腕金に支持された碍子に電線を固定した状態図である。
【００３７】
又、図３は、前記実施形態による電線用巻付バインドの使用状態を示す正面図であり、一組の電線用巻付バインドを用いて、単独の腕金に支持された碍子に電線を固定した状態図である。図４は、前記実施形態による電線用巻付バインドの使用状態を示す平面図であり、一組の電線用巻付バインドを用いて、単独の腕金に支持された碍子に電線を固定した状態図である。
【００３８】
図１を参照すると、本発明の実施形態による電線用巻付バインド（以下、巻付バインドと略称する）１は、弾性を有する鋼線などの金属線からなり、絶縁被覆されている。巻付バインド１は、所定の内径を有するように、一周半程度に巻回されたループ部１１を中央部に設けている。
【００３９】
図１を参照すると、巻付バインド１は、一対の延設部１２・１３を有している。延設部１２は、ループ部１１の始端１１ａからループ部１１の接線方向に延設している。延設部１３は、ループ部１１の終端１１ｂからループ部１１の接線方向に延設している。
【００４０】
又、図１を参照すると、一対の延設部１２・１３は、ループ部１１の外部に位置する仮想の近点Ｑで交わるように延設している。更に、一対の延設部１２・１３は、始端１１ａ又は終端１１ｂから両端部１０・１０に至るまで、スパイラル状に形成されている。
【００４１】
図２から図４を参照すると、碍子９は、円筒状の磁器部９ｊと金属棒からなるピン部９ｐで構成されている。磁器部９ｊは、頭部９ａ、傘部９ｂ、胴体部９ｃを形成している。頭部９ａの頂部には、樋状の溝部９１を穿設している。又、磁器部９ｊは、頭部９ａに連続して、円環状に窪んだ首部９２を有している。首部９２は、頭部９ａと傘部９ｂの間に形成されている。
【００４２】
図１から図４を参照すると、ループ部１１は、碍子９の首部９２を一周以上に巻回できる。一対の延設部１２・１３は、電線９ｗをスパイラル状に巻回できる。実施形態による巻付バインド１は、一組に構成されることが好ましく、一対の延設部１２・１３が互いに交差しないように、一対の延設部１２・１３の巻回方向を同じにして、碍子９の両側に延びる電線９ｗ・９ｗを巻回するように、一組の巻付バインド１・１を配置できる。
【００４３】
図３又は図４を参照すると、碍子９は、電柱８ａに支持された角パイプ状の腕金８ｂの端部に取り付けられている。碍子９のピン部９ｐは、フランジ部９ｆを中間部に形成している。
【００４４】
図３又は図４を参照すると、碍子９のピン部９ｐは、フランジ部９ｆの首下に雄ねじ部を形成している。そして、腕金８ｂの端部に設けた貫通穴（図示せず）にピン部９ｐを挿入し、雄ねじ部にナット９ｎを螺合して、碍子９を腕金８ｂに固定している。図２から図４に示された碍子９は、単独の腕金８ｂに支持された、いわゆる、「単腕金用碍子」となっている。
【００４５】
（単腕金の場合のバインド方法）
次に、実施形態による巻付バインド１を用いた、単腕金の場合のバインド方法を説明しながら、巻付バインド１の作用及び効果を説明する。
【００４６】
図１から図４を参照すると、碍子９には、一組の巻付バインド１・１を取り付けている（使用している）。最初に、一方の巻付バインド１の一対の延設部１２・１３を開角するように左右に拡げる。次に、この状態を維持しながら、ループ部１１を碍子９の首部９２に挿入する。つまり、ループ部１１の内径ｄは、碍子９の頭部９ａの外径Ｄより僅かに小さくなっており、一対の延設部１２・１３を開角すると、ループ部１１が拡径して、ループ部１１を首部９２に挿入できる。
【００４７】
図１から図４を参照して、次に、一対の延設部１２・１３を解放すると、ループ部１１が縮径して、ループ部１１を首部９２に保持できる（碍子保持ステップ）。前記と同様な碍子保持ステップを他方の巻付バインド１にも実施する。
【００４８】
図１から図４を参照して、次に、碍子９の溝部９１に沿って、電線９ｗを碍子９の溝部９１の底面に当接する（電線保持ステップ）。次に、一方の巻付バインド１の一対の延設部１２・１３を開角して、一対の延設部１２・１３を碍子９の両側に延びる電線９ｗに巻回する（巻回ステップ）。
【００４９】
図１から図４を参照して、前記と同様な碍子保持ステップを他方の巻付バインド１にも実施する。碍子保持ステップでは、一方の巻付バインド１の延設部１２と他方の巻付バインド１の延設部１３とが互いに交差しないように、一対の延設部１２・１３の巻回方向を同じに配置することが好ましい。
【００５０】
図１から図４を参照すると、実施形態による巻付バインド１は、碍子９の首部９２を一周以上に巻回可能なループ部１１と、電線９ｗを巻回可能に両端部１０・１０に至るまでスパイラル状に形成された一対の延設部１２・１３と、を有している。
【００５１】
図１から図４を参照すると、実施形態による巻付バインド１は、ループ部１１が碍子９の首部９２を保持すると共に、一対の延設部１２・１３が碍子９の両側に延びる電線９ｗを巻回するように配置されるので、単独の腕金８ｂに支持された碍子９に電線９ｗを確実に固定できる。
【００５２】
実施形態による巻付バインド１は、抱腕金に支持された近接した一対の碍子９・９にも電線９ｗを固定することができる。そして、次に、実施形態による巻付バインド１を抱腕金の場合の碍子９に適用する実施形態を説明する。
【００５３】
図５は、前記実施形態による電線用巻付バインドの使用状態を示す斜視図であり、一組の電線用巻付バインドを用いて、抱腕金に支持された近接した一対の碍子に電線を固定した状態を正面側から観ている。
【００５４】
図６は、前記実施形態による電線用巻付バインドの使用状態を示す斜視図であり、一組の電線用巻付バインドを用いて、抱腕金に支持された近接した一対の碍子に電線を固定した状態を正面側から観ている。
【００５５】
図７は、前記実施形態による電線用巻付バインドの使用状態を示す平面図であり、一組の電線用巻付バインドを用いて、抱腕金に支持された近接した一対の碍子に電線を固定した状態図である。
【００５６】
図５を参照すると、一対の腕金８ｂ・８ｂは、電柱８ａ（図３参照）を間に、電柱８ａを抱き合わせるように、略平行に電柱８ａに支持されている。一対の腕金８ｂ・８ｂは、いわゆる「抱腕金」である。そして、これらの腕金８ｂ・８ｂの端部に一対の碍子９・９を取り付けている。
【００５７】
図５から図７を参照すると、一方の碍子９には、巻付バインド１を取り付けている。他方の碍子９にも、巻付バインド１を取り付けている。これらの一組の巻付バインド１・１は、一方の一対の延設部１２・１３と他方の一対の延設部１２・１３とを互いに相反する向きに配置している。
【００５８】
なお、一方の巻付バインド１及び碍子９と一方の巻付バインド１及び碍子９とは、線対称に配置されるので、一方の巻付バインド１及び碍子９を代表して説明する場合がある。又、図１から図４、及び図８から図１１で使用した符号と同じ符号を有する構成品は、その作用を同一とするので、以下では説明を割愛する場合がある。
【００５９】
図５から図７を参照すると、ループ部１１は、碍子９の首部９２を一周以上に巻回できる。一対の延設部１２・１３は、電線９ｗをスパイラル状に巻回できる。巻付バインド１は、一対の延設部１２・１３を二重螺旋状に、これらの延設部１２・１３の巻回方向を同じにして、碍子９の片側に延びる電線９ｗを巻回するように配置されている。
【００６０】
（抱腕金の場合のバインド方法）
次に、実施形態による巻付バインド１を用いた、抱腕金の場合のバインド方法を説明しながら、巻付バインド１の作用及び効果を説明する。
【００６１】
図５から図７を参照すると、碍子９には、巻付バインド１を取り付けている（使用している）。最初に、巻付バインド１の一対の延設部１２・１３を開角するように左右に拡げる（図１参照）。次に、この状態を維持しながら、ループ部１１を碍子９の首部９２に挿入する。次に、一対の延設部１２・１３を解放すると、ループ部１１が縮径して、ループ部１１を首部９２に保持できる（碍子保持ステップ）。
【００６２】
図５から図７を参照して、次に、碍子９の溝部９１に沿って、電線９ｗを碍子９の溝部９１の底面に当接する（電線保持ステップ）。次に、一対の延設部１２・１３を交差して、一対の延設部１２・１３を二重螺旋状に、これらの延設部１２・１３の巻回方向を同じにして、碍子９の片側に延びる電線９ｗを巻回する（巻回ステップ）。
【００６３】
図５から図７を参照して、碍子保持ステップから巻回ステップに至るバインド手順で、他の碍子９の片側に延びる電線９ｗを巻回する。
【００６４】
図５から図７を参照すると、実施形態による巻付バインド１は、一対の延設部１２・１３を二重螺旋状に、一対の延設部１２・１３の巻回方向を同じにして、碍子９の片側に延びる電線９ｗを巻回するように配置できるので、抱腕金に支持された近接した一対の碍子９・９に電線９ｗを確実に固定できる。実施形態による巻付バインド１は、単独の腕金に支持された碍子、及び抱腕金に支持された近接した一対の碍子にも適用できる。
【００６５】
実施形態による巻付バインド１は、アルミバインドを用いたバインド方法と比べて、作業者の熟練度によるバラツキを抑制できる。実施形態による巻付バインド１は、確実にしかも短時間で電線を碍子にバインドできるというメリットがある。
【００６６】
実施形態による巻付バインド１は、高圧ゴム手袋などの保護具を用いる直接活線工法で電線を碍子にバインドできることは勿論であるが、ホットスティックを用いた間接活線工法でも作業できる。
【００６７】
例えば、実施形態による巻付バインド１は、ホットスティックの工具部に把持工具（やっとこ）を取り付けて、ループ部１１を碍子９の首部９２に保持できる。ホットスティックの工具部に環状のゴム紐を取り付けて、延設部１２・１３を電線９ｗに巻回できる。
【００６８】
実施形態による巻付バインド１は、延設部１２・１３の両端部を環状に形成することが好ましく、この環状部分にホットスティックの工具部に設けた巻付けグリップトングの起こし部を掛けることにより、延設部１２・１３を電線９ｗから離隔できる。
【００６９】
実施形態による巻付バインド１は、単独の腕金に支持された碍子、又は抱腕金に支持された近接した一対の碍子に共用できる。実施形態による巻付バインド１は、一対の延設部１２・１３の姿勢を変えるだけですむので、便利である。
【符号の説明】
【００７０】
１  巻付バインド（電線用巻付バインド）
９  碍子
９ａ  頭部
９ｗ  電線
１０・１０  両端部
１１  ループ部
１１ａ  始端
１１ｂ  終端
１２・１３  一対の延設部
９１  溝部
９２  首部
Ｑ  仮想の近点
【図１】
0005595817.tif 000002
【図２】
0005595817.tif 000003
【図３】
0005595817.tif 000004
【図４】
0005595817.tif 000005
【図５】
0005595817.tif 000006
【図６】
0005595817.tif 000007
【図７】
0005595817.tif 000008
【図８】
0005595817.tif 000009
【図９】
0005595817.tif 000010
【図１０】
0005595817.tif 000011
【図１１】
0005595817.tif 000012